(57)【要約】【課題】上流側の第１の画像記録装置で画像記録した記録媒体を、下流側に配置された第２の画像記録装置の一部を経由して装置外部に排出する構成の画像記録システムにおいて、第２の画像記録装置の搬送路の制御に異常が発生した場合でも、第１の画像生直装置により画像記録された記録媒体を第２の画像記録装置の一部を経由して装置外部へ排出可能とする。【解決手段】モノクロ画像記録装置２で画像形成を行う際に、カラー画像記録装置１によるバイパス搬送路装置５の駆動制御に異常が発生した場合には、モノクロ画像記録装置２でカラー画像記録装置１の上部を越えるように配置されたバイパス搬送装置５を駆動し、モノクロ画像記録装置２で画像記録した記録用紙を、バイパス搬送装置５を経由して最終処理装置３へ排出する。【選択図】図１
2007183502.tif 000002
【特許請求の範囲】
【請求項１】
複数台の画像記録装置が並列に配置され、第１の画像記録装置で画像記録した記録媒体を、第２の画像記録装置の搬送路の一部を経由して装置外部に排出する画像記録システムであって、
前記第１の画像記録装置で画像形成を行う際に前記第２の画像記録装置による搬送路制御に異常がある場合には、前記第１の画像記録装置で前記第２の画像記録装置の搬送路を駆動して記録媒体を装置外部に排出させることを特徴とする画像記録システム。
【請求項２】
複数台の画像記録装置が前後方向に一列に配置されると共に、記録媒体収容手段が前記列の下流側に配置され、第１の画像記録装置で画像記録した記録媒体を、下流側に配置された第２の画像記録装置の一部を経由して前記記録媒体収容手段に排出する画像記録システムであって、
前記第２の画像記録装置にバイパス搬送手段が設けられ、
前記第１の画像記録装置で画像形成を行う際に、前記第２の画像記録装置による前記バイパス搬送手段の駆動制御に異常がある場合には、前記第１の画像記録装置で前記バイパス搬送手段を駆動し、記録媒体を前記バイパス搬送手段を経由して前記記録媒体収容手段に排出することを特徴とする画像記録システム。
【請求項３】
前記バイパス搬送手段は、前記第２の画像記録装置の上部を越えるように配置されていることを特徴とする請求項２記載の画像記録システム。
【請求項４】
前記２台の画像記録装置は、一方がカラー画像記録装置であり、他方がモノクロ画像記録装置であることを特徴とする請求項１ないし請求項３のいずれかに記載の画像記録システム。
【請求項５】
前記バイパス搬送手段を経由して前記記録媒体収容手段に排出される記録媒体は、バイパス搬送手段と略同じ高さの記録媒体収容手段に排出されることを特徴とする請求項１ないし請求項４のいずれかに記載の画像記録システム。
【請求項６】
前記記録媒体は記録媒体収容手段の最上段に排出されることを特徴とする請求項５に記載の画像記録システム。
【発明の詳細な説明】
【技術分野】
【０００１】
本発明は、複数台の画像記録装置が並列に配置され、第１の画像記録装置で画像記録した記録媒体を、第２の画像記録装置の一部を経由して装置外部に排出するように構成された画像記録システムに関する。
【背景技術】
【０００２】
近年、多量に印字した記録用紙を連続して出力し、ページ順に揃えて高速で排出する画像記録システム（カラープリント装置）が提案されている（例えば、特許文献１参照）。
【０００３】
この画像記録システムは、多数枚給紙装置をそれぞれ接続する２台の画像記録装置と共通のソータとを架台内に一体化し、さらに各画像記録装置に画像信号を振り分けかつ各画像記録装置のプロセス及びソータの作動のシーケンスを制御する制御手段を備えている。そして、前記制御手段は、各画像記録装置に画像信号を出力してそれぞれの画像記録装置に、交互にページ順に応じた記録用紙を出力させることにより、ソータの各ビン上にページ順を揃えて記録用紙を排出するようになっている。つまり、上記従来の画像記録システムは、処理を高速化するために、２台の画像記録装置を同時に作動させている。
【０００４】
このような画像記録システムは、２台の画像記録装置を例えばカラー画像記録装置とモノクロ画像記録装置の組み合わせとすることができる。そして、このような組み合わせの画像記録システムを使用して、モノクロ画像とカラー画像とが混在するようなジョブの記録処理を実行したとき、処理の高速化を図るためには、モノクロ画像はモノクロ画像処理装置で記録し、カラー画像はカラー画像処理装置で記録することになる。そして、収容トレイ上への排出時に、カラー画像が形成された記録材とモノクロ画像が形成された記録材との順番を揃えながら順次排出することになる。
【特許文献１】特開平８−３０５２２１号公報
【発明の開示】
【発明が解決しようとする課題】
【０００５】
上記特許文献１の画像記録システムは、２台の画像記録装置を一体的に組み込んだ構造となっているが、２台の画像記録装置と記録媒体収容手段とを前後方向に一列に配置し、上流側の第１の画像記録装置で画像記録した記録媒体を、下流側に配置された第２の画像記録装置の一部を経由してさらに下流側に配置された記録媒体収容手段に排出する構成としても、同様の機能を実現することができる。
【０００６】
ところが、このような構成とすると、例えば上流側の第１の画像記録装置のみを使用し、第２の画像記録装置は使用しないで画像形成を行う場合でも、第１の画像記録装置により画像記録された記録媒体を、第２の画像記録装置の一部を経由させる必要があることから、第２の画像記録装置の搬送路を第２の画像記録装置によって駆動制御しておく必要がある。この場合、第２の画像記録装置による搬送路の駆動制御に異常が発生した場合には、第１の画像記録装置が正常に動作しているにも係わらず、記録動作を停止しなければならないといった問題が発生する。
【０００７】
本発明はかかる実情に鑑みて創案されたもので、その目的は、２台の画像記録装置と記録媒体収容手段とを前後方向に一列に配置し、上流側の第１の画像記録装置で画像記録した記録媒体を、下流側に配置された第２の画像記録装置の一部を経由してさらに下流側に配置された記録媒体収容手段に排出する構成の画像記録システムにおいて、第２の画像記録装置の搬送路の制御に異常が発生した場合でも、第１の画像生直装置により画像記録された記録媒体を第２の画像記録装置の一部を経由して装置外部へ排出することのできる画像記録システムを提供することにある。
【課題を解決するための手段】
【０００８】
上記課題を解決するため、本発明の画像記録システムは、複数台の画像記録装置が前後方向に一列に配置されると共に、記録媒体収容手段が前記列の下流側に配置され、第１の画像記録装置で画像記録した記録媒体を、下流側に配置された第２の画像記録装置の一部を経由して前記記録媒体収容手段に排出する画像記録システムであって、前記第２の画像記録装置にバイパス搬送手段が設けられている。そして、前記第１の画像記録装置で画像形成を行う際に、前記第２の画像記録装置による前記バイパス搬送手段の駆動制御に異常がある場合には、前記第１の画像記録装置で前記バイパス搬送手段を駆動し、記録媒体を前記バイパス搬送手段を経由して前記記録媒体収容手段に排出するように構成している。このように、第２の画像記録装置による前記バイパス搬送手段の駆動制御に異常がある場合には、第２の画像記録装置に搭載されているバイパス搬送手段を第１の画像記録装置から直接駆動制御することで、第１の画像記録装置で画像記録した記録用紙を、バイパス搬送手段を経由して記録媒体収容手段に確実に排出することができる。この場合、第１の画像記録装置から第２の画像記録装置の電源をオフできるように構成しておくのがよい。これにより、その後、第１の画像記録装置でバイパス搬送手段を駆動制御するときの誤動作を防止することができる。
【０００９】
ここで、前記２台の画像記録装置は、一方をカラー画像記録装置とし、他方をモノクロ画像記録装置とすることができる。
【００１０】
また、前記バイパス搬送手段は、前記第２の画像記録装置の上部を越えるように配置する。これにより、第２の画像記録装置で画像記録された記録媒体の搬送経路と、第１の画像記録装置で画像記録された記録媒体の搬送経路とを分けることができるので、モノクロ画像の記録媒体とカラー画像の記録媒体の搬送制御が容易となる。
【００１１】
また、前記バイパス搬送手段を経由して前記記録媒体収容手段に排出される記録媒体は、バイパス搬送手段と略同じ高さの記録媒体収容手段に排出するように構成する。具体的には、前記記録媒体は記録媒体収容手段の最上段に排出されるように構成する。これにより、第１の画像記録装置から記録媒体収容手段までの搬送距離を短くすることができ、搬送時間を短縮することが可能となる。
【発明の効果】
【００１２】
本発明の画像記録システムによれば、第１の画像記録装置のみを使用する場合には、第２の画像記録装置の電源をオフ状態とし、第２の画像記録装置に搭載されているバイパス搬送手段を第１の画像記録装置から直接駆動制御するように構成したので、第１の画像記録装置のみを使用する場合の消費電力の無駄を防止することができる。
【発明を実施するための最良の形態】
【００１３】
以下、本発明の実施の形態について図面を参照して説明する。
【００１４】
本実施形態における画像記録システムは、複写機能、プリンタ機能、ネットワークプリンタ機能、及びネットワークファクシミリ機能などを備えた一種の複合システムであり、画像記録装置としては、カラー画像記録装置とモノクロ画像記録装置の２台の画像記録装置を用いている。
【００１５】
図１及び図２は、このような画像記録システムの基本的な配置構成を示した外観図及び概略断面図である。
【００１６】
本実施形態における画像記録システムは、中央部に配置されたカラー画像記録装置１と、このカラー画像記録装置１の左側に配置されたバイパス搬送装置５及び最終処理装置３と、カラー画像記録装置１の右側に配置された搬送路接続装置６及びモノクロ画像記録装置２と、このモノクロ画像記録装置２の上部に搭載されたカラー画像読取装置（カラースキャナ）４とで構成されている。本実施形態では、記録用紙(記録材)は、図１及び図２中、右側から左側に向かって搬送される。従って、以下では、図面中左側を記録用紙の搬送方向に従って上流側、右側を下流側という。
【００１７】
バイパス搬送路装置５は、側面視逆Ｌ字形状の筐体状に形成されており、カラー画像記録装置１の下流側端部から上部にかけて、このカラー画像記録装置１に覆い被さるように（すなわち、カラー画像記録装置１の上部を越えるように）配置されている。また、筐体状の搬送路接続装置６は、モノクロ画像記録装置２とカラー画像記録装置１との間に配置されている。そして、モノクロ画像記録装置２の下流側端部は搬送路接続装置６を介してカラー画像記録装置１の上流側端部と接続され、カラー画像記録装置２の下流側端部はバイパス搬送路装置５を介して最終処理装置３の上流側端部と接続されている。
【００１８】
すなわち、本実施形態の画像記録システムは、上流側から下流側に向かって、モノクロ画像記録装置２、搬送路接続装置６、カラー画像記録装置１、バイパス搬送路装置５、及び最終処理装置３の順に接続された構成となっている。そして、カラー画像記録装置１の上部には、バイパス搬送路装置５が配置されており、モノクロ画像記録装置２の上部には、カラースキャナ４が配置されている。また、モノクロ画像記録装置２の上部手前側には、モノクロ側操作パネル２０２が配置されており、カラー画像記録装置１の上部手前側には、カラー側操作パネル２０１が配置されている。
【００１９】
以下、これら各装置の構成について簡単に説明する。
【００２０】
カラー画像記録装置１は、図２に示すように、４組の画像形成ユニット１０ＢＫ、１０Ｃ、１０Ｍ、１０Ｙ、中間転写ユニット１０、転写定着ユニット３０、第１記録用紙収納トレイ４１、第２記録用紙収納トレイ４２、第３記録用紙収納トレイ４３、第４記録用紙収納トレイ４４、水平供給搬送路５１、水平排出搬送路５２、第１垂直搬送路５３、第２垂直搬送路５４、第３垂直搬送路５５、水平帰還搬送路５６、及び排出収容トレイ５７で構成されている。排出収容トレイ５７は、上流側のモノクロ画像記録装置２で画像処理されたモノクロ画像の記録用紙を収容するトレイである。
【００２１】
モノクロ画像記録装置２は、図２に示すように、モノクロ画像形成ユニット６０、定着ユニット６３、第１記録用紙収納トレイ１４１、第２記録用紙収納トレイ１４２、第３記録用紙収納トレイ１４３、第４記録用紙収納トレイ１４４、水平供給搬送路１５１、水平排出搬送路１５２、第１垂直搬送路１５３、第２垂直搬送路１５４、第３垂直搬送路１５５、水平帰還搬送路１５６、及び画像処理されたモノクロ画像の記録用紙を収容する排出収容トレイ１５７で構成されている。
【００２２】
搬送路接続装置６は、モノクロ画像記録装置２の水平排出搬送路１５２により搬送されて排出された記録用紙Ｐを、第１延長垂直搬送路７１によって略Ｓ字状に湾曲搬送して、バイパス搬送路装置５に受け渡すようになっている。そのため、第１延長垂直搬送路７１には、図示は省略しているが、駆動手段により駆動されるローラやガイドが設けられている。
【００２３】
バイパス搬送路装置５は、搬送路接続装置６の第１延長垂直搬送路７１から渡された記録用紙Ｐを、最終処理装置３または排出収容トレイ５７に搬送する。また、カラー画像記録装置１の水平排出搬送路５２から排出されて渡された記録用紙Ｐを、最終処理装置３に搬送する。そのため、このバイパス搬送路装置５には、第２延長水平搬送路７２、第３延長垂直搬送路７３、第４延長水平搬送路７４、及び第２延長水平搬送路７２から分岐された分岐搬送路７５が設けられている。そして、第２延長水平搬送路７２の上流側端部は、搬送路接続装置６の第１延長垂直搬送路７１の下流側端部に接続され、第２延長水平搬送路７２の下流側端部は、第３延長垂直搬送路７３の上流側端部（上端部）に接続され、第３延長垂直搬送路７３の下流側端部（下端部）は、第４延長水平搬送路７４の上流側端部に接続されている。また、第４延長水平搬送路７４の下流側端部には、カラー画像記録装置１の水平排出搬送路５２の下流側端部が接続されている。なお、上記第２延長水平搬送路７２、第３延長垂直搬送路７３、第４延長水平搬送路７４、及び分岐搬送路７５には、後述するドライバー９１ｆ（図３参照）により駆動されるローラやガイド、冷却ファン等が設けられている。また、第２延長水平搬送路７２の上流側端部及び第４延長水平搬送路７４の下流側端部には、記録用紙Ｐの通過を検知するための検知スイッチＳＷ１，ＳＷ２が配置されている。また、バイパス搬送路装置５の上面部分は上方に開閉可能となっており、この上面部分を上に開くことにより、第２延長水平搬送路７２に詰まった記録用紙を容易に除去できるようになっている。
【００２４】
最終処理装置３は、カラー画像記録装置１やモノクロ画像記録装置２により画像処理された記録用紙Ｐを収容する装置である。この収容に際しては、複数の記録用紙Ｐを搬送されてきた順に収容したり、収容した複数の記録用紙Ｐを綴じて製本したりする機能を備えている。そのため、この最終処理装置３には、第１収容水平搬送路８１、第２収容水平搬送路８２、第３収容搬送路８３、搬送路切替レバー８４、フィニッシャー８５、第１収容トレイ８６、及び、第２収容トレイ８７が設けられている。このうち第１収容水平搬送路８１、第２収容水平搬送路８２、及び第３収容搬送路８３は、バイパス搬送路装置５の第４延長水平搬送路７４から渡された記録用紙Ｐをフィニッシャー８５または第２収容トレイ８７に搬送するのに用いられる。そして、第１収容水平搬送路８１の上流側端部は、バイパス搬送路装置５の第４延長水平搬送路７４の下流側端部に接続され、第１収容水平搬送路８１の下流側端部は、第２収容水平搬送路８２の上流側端部及び第３収容搬送路８３の上流側端部（上端部）に接続されている。この接続部分には、搬送路切替レバー８４が設けられており、この搬送路切替レバー８４により、搬送距離が短い第１収容水平搬送路８１により搬送された記録用紙Ｐを、第２収容水平搬送路８２または第３収容搬送路８３のいずれかに切り替える。上記第１収容水平搬送路８１、第２収容水平搬送路８２、及び第３収容搬送路８３には、後述するように、駆動手段により駆動されるローラやガイド、及び冷却ファン等が設けられている。
【００２５】
図３は、上記構成の画像記録システムの電気的構成の基本部分を示すブロック図である。この画像記録システムは、上述したように、カラー画像記録装置１と、上部にカラースキャナ４を搭載したモノクロ画像記録装置２と、最終処理装置３とで構成されており、基本的には、これらの各装置が単独で使用可能なように、それぞれの装置に制御部が備えられている。
【００２６】
すなわち、カラー画像記録装置１、モノクロ画像記録装置２、及び最終処理装置３はそれぞれ、カラー側制御部１ａ、モノクロ側制御部２ａ、及び最終処理側制御部３ａを備えている。このうち、カラー側制御部１ａには、バイパス搬送路装置５の制御機能が含まれ、モノクロ側制御部２ａには、同様にバイパス搬送路装置５の制御機能が含まれるほか、カラースキャナ４及び搬送路接続装置６の制御機能が含まれている。このほか、カラー側制御部１ａには、本実施形態における画像記録システムとして必要な制御機能も含まれている。
【００２７】
カラー側制御部１ａは、カラー側ＩＣＵ（イメージコントロールユニット）９１ａ、カラー側ＰＣＵ（プリントコントロールユニット）９１ｂ、カラー側操作パネル２０１を有するカラー側ＯＣＵ（オペレータコントロールユニット）９１ｃ、カラー側ＨＤＤ９１ｄ、カラー側管理部９１ｅ、バイパス搬送路装置５の各搬送路を駆動するドライバー９１ｆ、及びこれら各部に電源を供給するカラー側電源９１ｇで構成されている。カラー側ＩＣＵ９１ａは、カラー画像記録装置１で処理されるカラー画像データに関する処理を行う。このカラー側ＩＣＵ９１ａは、カラー画像記処理置１が独立した単体で使用される場合で、かつ、カラー画像記録装置１の上部にもカラースキャナ等が搭載されている場合には、これらカラースキャナに関する制御も行う。カラー側ＨＤＤ９１ｄは、カラースキャナ４から読取られた画像データを一時的に記憶する。カラー側ＰＣＵ９１ｂは、上述したカラー画像記録装置１の制御を行う。また、カラー側ＰＣＵ９１ｂは、バイパス搬送路装置５の各搬送路を駆動するドライバー９１ｆの制御も行う。カラー側ＯＣＵ９１ｃは、カラー画像記録装置１の操作を行うユーザ（オペレータ）によって操作される部分であり、液晶表示器の上にタッチパネルを配置したカラー側操作パネル２０１を備えている。カラー側管理部９１ｅは、カラー画像記録装置１が行う処理を管理するための管理情報を記憶するメモリである。カラー側ＰＣＵ９１ｂは、カラー側管理部９１ｅが記憶している管理情報を参照し、参照した情報に基づいてカラー画像記録装置１の制御を行う。
【００２８】
モノクロ側制御部２ａは、モノクロ側ＩＣＵ９２ａ、モノクロ側ＰＣＵ９２ｂ、モノクロ側操作パネル２０２を有するモノクロ側ＯＣＵ９２ｃ、モノクロ側ＨＤＤ９２ｄ、モノクロ側管理部９２ｅ、及びこれら各部に電源を供給するカラー側電源９２ｇで構成されている。モノクロ側ＩＣＵ９２ａは、基本的には、モノクロ画像記録装置２で処理されるモノクロ画像データに関する処理を行うが、本システムのように、モノクロ画像記録装置２の上部にカラースキャナ４が搭載されている場合は、このカラースキャナ４で読取られるカラー画像データの処理も含むカラースキャナ４に関する制御も行う。モノクロ側ＨＤＤ９２ｄは、上記の画像データを一時的に記憶する。モノクロ側ＰＣＵ（プリントコントロールユニット）９２ｂは、上述したモノクロ画像記録装置２の制御を行う。また、モノクロ側ＰＣＵ９２ｂは、カラー画像記録装置１が電源オフ状態（非通電状態）である場合には、カラー画像記録装置２に搭載されているバイパス搬送路装置５の各搬送路を駆動するドライバー９１ｆの制御も行う。そのため、ドライバー９１ｆは、カラー側ＰＣＵ９１ｂと制御信号線Ｌ１で接続されているとともに、モノクロ側ＰＣＵ９２ｂとも制御信号線Ｌ２で接続されている。モノクロ側ＯＣＵ（オペレータコントロールユニット）９２ｃは、モノクロ画像記録装置２の操作を行うオペレータによって操作される部分であり、液晶表示器の上にタッチパネルを配置したモノクロ側操作パネル２０２を備えている。モノクロ側管理部９２ｅは、モノクロ画像記録装置２が行う処理を管理するための管理情報を記憶するメモリである。モノクロ側ＰＣＵ９２ｂは、モノクロ側管理部９２ｅが記憶している管理情報を参照し、参照した情報に基づいてモノクロ画像記録装置２の制御を行う。
【００２９】
最終処理側制御部３ａは、ＣＵ（コントロールユニット）９３で構成されている。このＣＵ９３は、最終処理装置３の制御を行う。なお、最終処理側制御部３ａには、ＯＣＵ（オペレータコントロールユニット）が備えられておらず、最終処理装置３に対する操作指示に関する情報は、カラー側制御部１ａのカラー側ＯＣＵ９１ｃまたはモノクロ側制御部２ａのモノクロ側ＯＣＵ９２ｃからの情報を使用する。
【００３０】
本実施形態の画像記録システムの制御については、上記のほか、プリンタボード９４ａ及びＨＤＤ９４ｂを備えており、プリンタボード９４ａは、カラー側ＩＣＵ９１ａ及びモノクロ側ＩＣＵ９２ａに接続されている。プリンタボード９４ａは、本画像記録システムの外部に設置されたＬＡＮ９５に接続されており、このＬＡＮ９５を介して、ＬＡＮ接続されたパソコン（ＰＣ）９６に接続されている。このプリンタボード９４ａは、パソコン９６からＬＡＮ９５を介して本画像記録システムに送信された画像データを受信して、カラー側ＩＣＵ９１ａまたはモノクロ側ＩＣＵ９２ａへ送信する。ＨＤＤ９４ｂは、これらの画像データを一時的に記憶する。
【００３１】
また、本画像記録システムの制御においては、カラー画像記録装置１の制御を行うカラー側ＰＣＵ９１ｂと、モノクロ画像記録装置２の制御を行うモノクロ側ＰＣＵ９２ｂとが制御信号線Ｌ３（例えば、シリアル通信）によって相互接続されており、必要な情報を相互に交換できるようになっている。また、ドライバー９１ｆは、上記のようにモノクロ側ＰＣＵ９２ｂとカラー側ＰＣＵ９２ｂの双方に接続されており、カラー画像記録装置１が電源オフされた非通電状態においても、モノクロ側ＰＣＵ９２ｂにおいて駆動制御可能となっている。また、カラースキャナ４も、モノクロ側ＩＣＵ９２ａとカラー側ＩＣＵ９１ａの双方に接続されており、カラースキャナ４で読取られた全画像データが、カラー側ＨＤＤ９４ｄに記憶されるようになっている。
【００３２】
また、本システムでは、カラー側ＰＣＵ９１ｂに本システム全体を統括する機能を付与している。そのため、カラー側ＰＣＵ９１ｂは、本システムが最も効率よく処理できるように、モノクロ側ＰＣＵ９２ｂ及び最終処理側制御部３ａのＣＵ９３に対して指示を行う。
【００３３】
図４は、バイパス搬送路装置５の各搬送路を駆動するドライバー９１ｆと各カラー側ＰＣＵ９１ｂ及びモノクロ側ＰＣＵ９２ｂとの接続関係を示す回路ブロック図の一例を示している。すなわち、カラー側ＰＣＵ９１ｂの出力とモノクロ側ＰＣＵ９２ｂの出力とを、ＯＲ結合でドライバー９１ｆに接続している。
【００３４】
具体的に説明すると、図４に示す回路ブロック図は、バイパス搬送路装置５の各搬送路に配置された図示しないローラ等を駆動するための２相パルスモータの駆動回路を例示しており、パルスモータＭを駆動するドライバー９１ｆに、カラー側ＰＣＵ９１ｂの出力にベースが接続されたトランジスタＱ１と、モノクロ側ＰＣＵ９２ｂの出力にベースが接続されたトランジスタＱ２とが、オープンコレクタにて並列接続された構成となっている。なお、図４では、２相パルスモータＭの４つのコイルのうち１つのコイルに対応する１回路分のみ図示しているが、他のコイルに対応する回路構成もこれと同じである。また、カラー側ＰＣＵ９１ｂ及びモノクロ側ＰＣＵ９２ｂには、バイパス搬送路装置５の通紙状態を検知するための検知スイッチＳＷ１，ＳＷ２の出力が接続された構成となっている。さらに、パルスモータＭに供給する＋２４Ｖの電源端子とドライバー９１ｆに供給するＶｃｃの電源端子とは、カラー側電源９１ｇとモノクロ側電源９２ｇの両方から電源供給が可能となるように、それぞれ逆流防止用ダイオードＤ１〜Ｄ４を介して並列接続されている。
【００３５】
以上が、本実施形態の画像記録システムの基本構成である。
【００３６】
上記構成において、本実施形態では、カラー画像記録装置１とモノクロ画像記録装置２の両方を用いて記録を行う場合には、カラー側ＰＣＵ９２ｂによって制御信号線Ｌ１によりドライバー９１ｆを制御することで、バイパス搬送路装置５の各搬送路を駆動制御し、モノクロ画像記録装置２で画像記録された記録媒体を、バイパス搬送路装置５を経由して最終処理装置３へ搬送する。
【００３７】
このような動作状態において、カラー画像記録装置２によるバイパス搬送路装置５の駆動制御に異常が発生した場合には、モノクロ画像記録装置２のモノクロ側ＰＣＵ９２ｂは、制御信号線Ｌ３よりカラー画像記録装置１のカラー側ＰＣＵ９１ｂに対して電源オフのコマンドを出力し、カラー画像記録装置１の電源をオフ状態とする。次に、モノクロ側ＰＣＵ９２ｂによって制御信号線Ｌ２によりドライバー９１ｆを制御することで、バイパス搬送路装置５の各搬送路を駆動制御し、モノクロ画像記録装置２で画像記録された記録媒体を、バイパス搬送路装置５を経由して最終処理装置３へ搬送する。このように、カラー側ＰＣＵ９１ｂによるバイパス搬送路装置５の駆動制御に異常が発生した場合には、カラー画像記録装置１の電源をオフ状態とし、モノクロ側ＰＣＵ９２ｂにてバイパス搬送路装置５を駆動制御することで、モノクロ画像記録装置２で画像記録した記録用紙を、バイパス搬送路装置５を経由して最終処理装置３へ確実に排出することが可能となる。
【００３８】
なお、カラー画像記録装置１によるバイパス搬送路装置５の駆動制御の異常の有無は、カラー側ＰＣＵ９１ｂとモノクロ側ＰＣＵ９２ｂとが制御信号線Ｌ２によって相互通信可能に接続されているので、モノクロ側ＰＣＵ９２ｂとカラー側ＰＣＵ９１ｂとの通信のやり取りの中で検出することができる。
【００３９】
具体的には、画像記録動作時、カラー側ＰＣＵ９１ｂとモノクロ側ＰＣＵ９２ｂとは、以下に示す種々のステータス情報のやり取りを行っている。すなわち、
（１）ラインチェック情報（回線のチェック情報）
（２）初期化コマンド（装置やレジスタの初期化）
（３）記録用紙の排紙情報（搬送する記録用紙のサイズ、枚数等の情報）
（４）装置本体の仕様情報（カラー画像記録装置とモノクロ画像記録装置とは、それぞれ異なる仕様のものが組み合わせ可能であるため、個々の印刷速度や両面印刷機能など、装置の仕様を連絡し合っている。）
（５）ＲＯＭバージョン情報（バージョンによって動作可能な仕様が異なる。）
（６）後処理装置の情報（仕様可能状態、使用中等の後処理装置３の動作状況）
（７）エラー情報や消耗品情報
従って、モノクロ側ＰＣＵ９２ｂからカラー側ＰＣＵ９１ｂに対して上記した少なくとも１つ以上の情報の送信を行った場合に、これに対する応答がカラー側ＰＣＵ９１ｂから帰って来なかった場合には、カラー画像記録装置１に異常が発生したと判断することができる。
【図面の簡単な説明】
【００４０】
【図１】本発明の一実施形態である画像記録システムの基本的な配置構成を示した外観図である。
【図２】本発明の一実施形態である画像記録システムの概略断面図である。
【図３】本発明の一実施形態である画像記録システムの電気的構成の基本部分を示すブロック図である。
【図４】バイパス搬送路装置を駆動制御するドライバーとカラー側ＰＣＵ及びモノクロ側ＰＣＵとの接続関係を示す回路ブロック図である。
【符号の説明】
【００４１】
１  カラー画像記録装置
１ａ  カラー側制御部
２  モノクロ画像記録装置
２ａ  モノクロ側制御部
３  最終処理装置
３ａ  最終処理側制御部
４  カラースキャナ（カラー画像読取装置）
５  バイパス搬送路装置
６  搬送路接続装置
３１  最終処理外観図
３２  カラー外観図
３３  モノクロ外観図
９１ａ  カラー側ＩＣＵ
９１ｂ  カラー側ＰＣＵ
９１ｃ  カラー側ＯＣＵ
９１ｄ  カラー側ＨＤＤ
９１ｅ  カラー側管理部
９１ｆ  ドライバー
９２ａ  モノクロ側ＩＣＵ
９２ｂ  モノクロ側ＰＣＵ
９２ｃ  モノクロ側ＯＣＵ
９２ｄ  モノクロ側ＨＤＤ
９２ｅ  モノクロ側管理部
９３  ＣＵ
９４ａ  プリンタボード
９４ｂ  ＨＤＤ
９５  ＬＡＮ
９６  パソコン
２０１  カラー側操作パネル
２０２  モノクロ側操作パネル
ＳＷ１，ＳＷ２  検知スイッチ
Ｍ  ２相パルスモータ
【図１】
2007183502.tif 000003
【図２】
2007183502.tif 000004
【図３】
2007183502.tif 000005
【図４】
2007183502.tif 000006